(57)【特許請求の範囲】
【請求項１】
コンピュータが実行する、
ユーザが使用するユーザ端末から、前記ユーザを識別するユーザ識別情報と、前記ユーザが商品又はサービスの購入に対して決済するための決済用コードの発行要求とを受信するステップと、
前記決済用コードの発行要求を受信すると、前記決済用コードを生成するための決済用トークンを前記ユーザ端末に送信するステップと、
前記決済用トークンに基づいて前記ユーザ端末が表示した前記決済用コードを読み取った、前記ユーザに前記商品又はサービスを提供した提供者が使用する提供者端末から、前記提供者を識別する提供者識別情報と、前記ユーザの前記商品又はサービスの購入に関する決済情報と、前記決済用トークンとを受信するステップと、
前記提供者端末から受信した前記決済情報に基づいて決済を実行するステップと、
を有する決済処理方法。
【請求項２】
前記コンピュータが実行する、記提供者識別情報と、前記決済情報とを関連付けて記憶部に記憶させるステップをさらに有する、
請求項１に記載の決済処理方法。
【請求項３】
前記コンピュータが実行する、前記決済情報に基づく決済が完了すると、前記決済が完了したことを示す決済完了情報と、前記提供者識別情報とを関連付けて前記提供者端末に送信するステップをさらに有する、
請求項１又は２に記載の決済処理方法。
【請求項４】
前記コンピュータが実行する、前記提供者識別情報を記憶部に記憶させるステップをさらに有し、
前記決済を実行するステップにおいて、前記コンピュータは、前記提供者端末から受信した前記提供者識別情報が前記記憶部に記憶されている場合に、前記提供者端末から受信した前記決済情報に基づいて決済を実行する、
請求項１から３のいずれか１項に記載の決済処理方法。
【請求項５】
前記記憶部に記憶させるステップにおいて、前記コンピュータは、前記提供者が属する事業者を識別する事業者識別情報と、前記提供者識別情報とを関連付けて前記記憶部に記憶させ、
前記決済用トークンを受信するステップにおいて、前記コンピュータは、前記提供者端末から、前記事業者識別情報を含む前記決済情報を受信し、
前記決済を実行するステップにおいて、前記コンピュータは、前記提供者端末から受信した前記提供者識別情報と、前記提供者端末から受信した前記決済情報に含まれている前記事業者識別情報とが関連付けて前記記憶部に記憶されている場合に、前記提供者端末から受信した前記決済情報に基づいて決済を実行する、
請求項４に記載の決済処理方法。
【請求項６】
前記決済用トークンを受信するステップにおいて、前記コンピュータは、前記提供者識別情報として、前記提供者端末を識別する端末識別情報を受信する、
請求項１から５のいずれか１項に記載の決済処理方法。
【請求項７】
前記コンピュータが実行する、前記提供者端末を識別する端末識別情報を記憶部に記憶させるステップをさらに有し、
前記決済用トークンを受信するステップにおいて、前記コンピュータは、前記提供者端末から、前記端末識別情報をさらに受信し、
前記決済を実行するステップにおいて、前記コンピュータは、前記提供者端末から受信した前記端末識別情報が前記記憶部に記憶されている場合に、前記提供者端末から受信した前記決済情報に基づいて決済を実行する、
請求項１から５のいずれか１項に記載の決済処理方法。
【請求項８】
前記決済用コードの発行要求を受信するステップにおいて、前記コンピュータは、前記ユーザ端末から、前記ユーザが前記提供者に付与する付与金額を示す情報をさらに受信し、
コンピュータが実行する、
前記ユーザ端末に送信する決済用トークンと、前記付与金額を示す情報とを関連付けて記憶部に記憶させるステップと、
前記提供者端末から受信した前記決済用トークンに関連付けて前記記憶部に記憶されている前記付与金額と、前記提供者端末から受信した前記提供者識別情報と関連付けるステップと、
をさらに有する、
請求項１から７のいずれか１項に記載の決済処理方法。
【請求項９】
前記決済を実行するステップにおいて、前記コンピュータは、前記決済用トークンを受信すると、前記付与金額と、前記提供者端末から受信した前記決済情報が示す前記商品又はサービスの支払額とに基づく決済を実行する、
請求項８に記載の決済処理方法。
【請求項１０】
ユーザが使用するユーザ端末から、前記ユーザを識別するユーザ識別情報と、前記ユーザが商品又はサービスの購入に対して決済するための決済用コードの発行要求とを受信する発行要求受信部と、
前記決済用コードの発行要求を受信すると、前記決済用コードを生成するための決済用トークンを前記ユーザ端末に送信するトークン送信部と、
前記決済用トークンに基づいて前記ユーザ端末が表示した前記決済用コードを読み取った、前記ユーザに前記商品又はサービスを提供した提供者が使用する提供者端末から、前記提供者を識別する提供者識別情報と、前記ユーザの前記商品又はサービスの購入に関する決済情報と、前記決済用トークンとを受信する決済用情報受信部と、
前記提供者端末から受信した前記決済情報に基づいて決済を実行する決済処理部と、
を有する決済処理装置。
【請求項１１】
前記決済処理部は、前記提供者識別情報と、前記決済情報とを関連付けて記憶部に記憶させる、
請求項１０に記載の決済処理装置。
【請求項１２】
前記提供者識別情報を記憶部に記憶させる登録部をさらに有し、
前記決済処理部は、前記提供者端末から受信した前記提供者識別情報が前記記憶部に記憶されている場合に、前記提供者端末から受信した前記決済情報に基づいて決済を実行する、
請求項１０又は１１に記載の決済処理装置。
【請求項１３】
前記決済用情報受信部は、前記提供者識別情報として、前記提供者端末を識別する端末識別情報を受信する、
請求項１０から１２のいずれか１項に記載の決済処理装置。
【請求項１４】
発行要求受信部は、前記ユーザ端末から、前記ユーザが前記提供者に付与する付与金額を示す情報をさらに受信し、
前記トークン送信部は、前記ユーザ端末に送信する決済用トークンと、前記付与金額を示す情報とを関連付けて記憶部に記憶させ、
前記決済処理部は、前記提供者端末から受信した前記決済用トークンに関連付けて前記記憶部に記憶されている前記付与金額と、前記提供者端末から受信した前記提供者識別情報と関連付ける、
請求項１０から１３のいずれか１項に記載の決済処理装置。
【発明の詳細な説明】
【技術分野】
【０００１】
本発明は、決済処理方法及び決済処理装置に関する。
【背景技術】
【０００２】
従来、二次元バーコードを用いて決済を行う方法が知られている。例えば、特許文献１には、ユーザの端末が、代金を支払うために静的な二次元バーコードを読み取ると、販売者識別コードと、ユーザが支払うべき金額、ウェイター等のサービス提供者を識別する提供者識別コードを入力できる入力欄を含むページを表示し、ユーザから金額の入力を受け付けることにより、決済することができる方法が開示されている。特許文献１に開示された方法において、ユーザは、支払額に、サービス提供者に対するチップとしてのサービス料を追加したり、支払金額に含まれているサービス料の金額を変更することができる。
【先行技術文献】
【特許文献】
【０００３】
【特許文献１】国際公開第２０１３／０６８７６５号
【発明の概要】
【発明が解決しようとする課題】
【０００４】
ところで、特許文献１では、サービスを提供したサービス提供者コードを誤ってユーザが入力したり、あるいはサービス提供者コードを何も入力せずに決済処理したりする可能性がある。これにより、適切なサービス提供者にサービス料を付与することができないという問題や、どのサービス提供者が誰にサービスを提供したのかが不明となる問題が発生する。
【０００５】
そこで、本発明はこれらの点に鑑みてなされたものであり、ユーザにサービスを提供したサービス提供者を特定することができる決済処理方法及び決済処理装置を提供することを目的とする。
【課題を解決するための手段】
【０００６】
本発明の第１の態様に係る決済処理方法は、コンピュータが実行する、ユーザが使用するユーザ端末から、前記ユーザを識別するユーザ識別情報と、前記ユーザが商品又はサービスの購入に対して決済するための決済用コードの発行要求とを受信するステップと、前記決済用コードの発行要求を受信すると、前記決済用コードを生成するための決済用トークンを前記ユーザ端末に送信するステップと、前記決済用トークンに基づいて前記ユーザ端末が表示した前記決済用コードを読み取った、前記ユーザに前記商品又はサービスを提供した提供者が使用する提供者端末から、前記提供者を識別する提供者識別情報と、前記ユーザの前記商品又はサービスの購入に関する決済情報と、前記決済用トークンとを受信するステップと、前記提供者端末から受信した前記決済情報に基づいて決済を実行するステップと、を有する。
【０００７】
本発明の第２の態様に係る決済処理装置は、ユーザが使用するユーザ端末から、前記ユーザを識別するユーザ識別情報と、前記ユーザが商品又はサービスの購入に対して決済するための決済用コードの発行要求とを受信する発行要求受信部と、前記決済用コードの発行要求を受信すると、前記決済用コードを生成するための決済用トークンを前記ユーザ端末に送信するトークン送信部と、前記決済用トークンに基づいて前記ユーザ端末が表示した前記決済用コードを読み取った、前記ユーザに前記商品又はサービスを提供した提供者が使用する提供者端末から、前記提供者を識別する提供者識別情報と、前記ユーザの前記商品又はサービスの購入に関する決済情報と、前記決済用トークンとを受信する決済用情報受信部と、前記提供者端末から受信した前記決済情報に基づいて決済を実行する決済処理部と、を有する。
【発明の効果】
【０００８】
本発明によれば、ユーザにサービスを提供したサービス提供者を特定することができるという効果を奏する。
【図面の簡単な説明】
【０００９】
【図１】決済システムの概要を示す図である。
【図２】決済処理装置の機能構成を示す図である。
【図３】店舗別提供者情報の一例を示す図である。
【図４】ユーザ端末の機能構成を示す図である。
【図５】提供者端末の機能構成を示す図である。
【図６】決済システムの動作シーケンス図である。
【図７】図６に続く動作シーケンス図である。
【発明を実施するための形態】
【００１０】
［決済システムＳの概要］
図１は、決済システムＳの概要を示す図である。決済システムＳは、ユーザが店舗等において商品又はサービスを購入する場合に、ユーザが所持するユーザ端末からの要求に応じて決済用コードをユーザ端末に表示させ、店舗側で決済用コードが読み込まれたことに応じて決済を行うシステムである。決済用コードは、店舗での精算に用いられる店舗側の端末において読み取れるテキスト又は画像であり、決済時に用いられるコードである。なお、以下の説明において、商品又はサービスをまとめて、単に商品という。また、商品又はサービスの購入場所は、店舗に限らず、タクシー等、店舗とは異なる場所であってもよい。
【００１１】
決済システムＳは、決済処理装置１と、ユーザ端末２と、提供者端末３とを備える。決済処理装置１は、購入金額の決済を行うサーバである。ユーザ端末２は、ユーザが使用する情報端末であり、例えばスマートフォン、タブレット又はパーソナルコンピュータである。提供者端末３は、例えばスマートフォン、タブレット又はＰＯＳ端末である。提供者端末３は、店舗に属し、商品をユーザに説明したり商品をユーザに提供したりする店員等であるサービス提供者が使用する端末である。
以下、図１を参照しながら、決済時の流れを説明する。
【００１２】
決済処理装置１は、サービス提供者又はサービス提供者を管理する管理者から、予め、サービス提供者を識別する提供者識別情報としての提供者ＩＤを受け付けて、記憶する（図１における（１））。
【００１３】
その後、ユーザは、店舗において商品の購入を行う。ユーザは、店舗において会計を行う場合に、決済用のアプリケーションソフトウェアを起動し、決済用コードをユーザ端末２に表示させるための操作を行う。ユーザ端末２は、決済用コードを表示させるための操作を受け付けると、ユーザを識別するユーザ識別情報としてのユーザＩＤと、決済用コードの発行要求とを決済処理装置１に送信する（図１における（２））。
【００１４】
決済処理装置１は、ユーザ端末２から、ユーザＩＤと、決済用コードの発行要求とを受信する。決済処理装置１は、決済用コードの発行要求を受信すると、決済用トークンを生成する（図１における（３））。決済用トークンは、ユーザが店舗で提示する決済用コードをユーザ端末２が生成する際に用いるデータ列である。決済処理装置１は、生成した決済用トークンと、ユーザＩＤとを関連付けて記憶媒体に記憶する（図１における（４））。
【００１５】
決済処理装置１は、生成した決済用トークンをユーザ端末２に送信する（図１における（５））。決済処理装置１は、決済用トークンを暗号化した後に、暗号化した決済用トークンをユーザ端末２に送信してもよい。
【００１６】
ユーザ端末２は、受信した決済用トークンに基づいて決済用コードを生成して表示させる（図１における（６））。ユーザは、店舗で商品の購入代金を精算する際に決済用コードを提示する。そして、例えばサービス提供者の操作により、提供者端末３が、ユーザ端末２に表示された決済用コードを読み取る（図１における（７））。
【００１７】
提供者端末３は、サービス提供者の提供者ＩＤと、ユーザが購入する商品の合計額を示す決済金額と、店舗を識別する店舗識別情報としての店舗ＩＤとを含む決済情報と、読み取った決済用コードが示す決済用トークンとを決済処理装置１に送信する（図１における（８））。
【００１８】
決済処理装置１は、提供者端末３から提供者ＩＤと、決済情報と、決済用トークンを受信すると、当該決済用トークンが、ユーザ端末２に送信した決済用トークンと一致するか否か、及び受信した提供者ＩＤが記憶されているかを判定する。決済処理装置１は、決済用トークンが一致するとともに、受信した提供者ＩＤが記憶されていると判定した場合に、決済用トークンと関連付けられているユーザＩＤを特定する（図１における（９））。決済処理装置１は、受信した決済情報、提供者ＩＤと、特定したユーザＩＤとに基づいて決済処理を実行する（図１における（１０））。決済処理装置１は、提供者ＩＤと決済情報とを関連付けて記憶する（図１における（１１））。
【００１９】
決済システムＳが以上のように動作することで、提供者ＩＤは、提供者が使用する提供者端末３から送信される。これにより、決済時に提供者ＩＤに誤りが発生することを抑制することができるので、ユーザにサービスを提供したサービス提供者を特定することができる。
以下、決済処理装置１、ユーザ端末２、及び提供者端末３の構成の詳細を説明する。
【００２０】
［決済処理装置１の機能構成］
図２は、決済処理装置１の機能構成を示す図である。決済処理装置１は、通信部１１と、記憶部１２と、制御部１３とを有する。
【００２１】
通信部１１は、インターネット等のネットワークを介してユーザ端末２及び提供者端末３とデータを送受信するための通信インターフェースである。
【００２２】
記憶部１２は、各種のデータを記憶する記憶媒体であり、ＲＯＭ（Read Only Memory）、ＲＡＭ（Random Access Memory）、及びハードディスク等を有する。記憶部１２は、制御部１３が実行するプログラムを記憶する。記憶部１２は、制御部１３を、登録部１３１、発行要求受信部１３２、トークン送信部１３３、決済用情報受信部１３４、及び決済処理部１３５として機能させる決済用プログラムを記憶する。
【００２３】
また、記憶部１２は、提供者ＩＤと、店舗ＩＤとを関連付けた店舗別提供者情報を記憶する。図３は、店舗別提供者情報の一例を示す図である。図３に示すように、複数の店舗ＩＤのそれぞれに、一以上の提供者ＩＤが関連付けられていることが確認できる。
【００２４】
制御部１３は、例えばＣＰＵ（Central Processing Unit）である。制御部１３は、記憶部１２に記憶された決済用プログラムを実行することにより、登録部１３１、発行要求受信部１３２、トークン送信部１３３、決済用情報受信部１３４、及び決済処理部１３５として機能する。制御部１３の各部の動作の詳細については後述する。
【００２５】
［ユーザ端末２の機能構成］
図４は、ユーザ端末２の機能構成を示す図である。ユーザ端末２は、操作部２１と、通信部２２と、表示部２３と、記憶部２４と、制御部２５とを有する。制御部２５は、操作受付部２５１と、要求送信部２５２と、コード生成部２５３とを有する。
【００２６】
操作部２１は、ユーザの操作を受け付ける操作デバイスであり、例えば表示部２３の表面に設けられたタッチパネルである。操作部２１は、ユーザがタッチした位置を示す信号を操作受付部２５１に通知する。
【００２７】
通信部２２は、例えば携帯電話網の基地局との間でデータを送受信するための無線通信インターフェースである。通信部２２は、決済処理装置１から受信した決済用トークン等をコード生成部２５３に入力する。
【００２８】
表示部２３は、各種の情報を表示するディスプレイである。表示部２３は、コード生成部２５３の制御に基づいて、決済用コードを表示する。
【００２９】
記憶部２４は、ＲＯＭ及びＲＡＭ等を含む記憶媒体である。記憶部２４は、制御部２５が実行するプログラムを記憶している。記憶部２４は、制御部２５を、操作受付部２５１、要求送信部２５２及びコード生成部２５３として機能させるプログラムを記憶する。また、記憶部２４は、決済処理装置１から受信した決済用トークン、及び決済用トークンに基づいて生成された決済用コード等を記憶する。
【００３０】
制御部２５は、例えばＣＰＵであり、記憶部２４に記憶されたプログラムを実行することにより、操作受付部２５１、要求送信部２５２及びコード生成部２５３として機能する。
【００３１】
操作受付部２５１は、操作部２１から入力された信号に基づいて、ユーザの操作内容を特定する。操作受付部２５１は、特定した操作内容が、決済用コードをユーザ端末２に表示させるための操作である場合に、表示部２３に、サービス提供者に付与する付与金額としてのチップの額を受け付ける受付画面を表示させ、チップの額を受け付ける。チップの額の入力は任意であってもよいが、本実施形態では、チップの額を受け付けたものとして説明を進める。
【００３２】
操作受付部２５１は、特定した操作内容が、決済用コードをユーザ端末２に表示させるための操作である場合に、操作内容を要求送信部２５２に通知する。要求送信部２５２は、操作受付部２５１が、決済用コードをユーザ端末２に表示させるための操作を受け付けるとともにチップの額を受け付けた場合に、ユーザＩＤと、チップの額を示すチップ情報と、決済用コードの発行要求とを決済処理装置１に送信する。
【００３３】
コード生成部２５３は、決済処理装置１から決済用トークンが送信されると、決済用トークンに基づく決済用コードを生成する。コード生成部２５３は、例えば、予め定められた規則に基づいて決済用コードを生成する。コード生成部２５３は、生成した決済用コードを表示部２３に表示させる。
【００３４】
［提供者端末３の機能構成］
図５は、提供者端末３の機能構成を示す図である。提供者端末３は、操作部３１と、読取部３２と、通信部３３と、表示部３４と、記憶部３５と、制御部３６とを有する。
【００３５】
操作部３１は、サービス提供者の操作を受け付ける操作デバイスであり、例えば商品を選択するためのボタンや、表示部３４の表面に設けられたタッチパネルである。
【００３６】
読取部３２は、例えば、バーコードリーダ及びカメラであり、ユーザが購入する商品に付されているバーコードや、ユーザ端末２が表示した決済用コードを読み取る。読取部３２は、読み取ったバーコード及び決済用コードが示す情報を制御部３６に出力する。
【００３７】
通信部３３は、例えば決済処理装置１との間でデータを送受信するための通信インターフェースである。通信部３３は、制御部３６の制御に応じて、決済用トークン、決済情報を決済処理装置１に送信する。
【００３８】
表示部３４は、各種の情報を表示するディスプレイである。表示部３４は、例えば、決済金額を表示する。
【００３９】
記憶部３５は、ＲＯＭ及びＲＡＭ等を含む記憶媒体である。記憶部３５は、制御部３６が実行するプログラムを記憶している。記憶部３５は、制御部３６を、登録要求部３６１、決済用情報生成部３６２、トークン取得部３６３、及び決済用情報送信部３６４として機能させるプログラムを記憶する。また、記憶部３５は、商品ＩＤと、商品の価格とを関連付けた商品ＤＢを記憶する。また、記憶部３５は、提供者端末３を使用するサービス提供者の提供者ＩＤを記憶する。記憶部３５は、提供者端末３を使用するサービス提供者が複数存在する場合、複数のサービス提供者のそれぞれの提供者ＩＤと、サービス提供者の氏名とを関連付けて記憶する。
【００４０】
制御部３６は、例えばＣＰＵであり、記憶部３５に記憶された決済処理用プログラムを実行することにより、登録要求部３６１、決済用情報生成部３６２、トークン取得部３６３、及び決済用情報送信部３６４として機能する。
【００４１】
登録要求部３６１は、店舗及びサービス提供者の登録要求を決済処理装置１に送信する。具体的には、登録要求部３６１は、操作部３１がサービス提供者から、店舗及びサービス提供者の登録操作を受け付けると、店舗に関する店舗情報と、当該店舗に属するサービス提供者の情報である提供者情報を受け付けるための登録受付画面を表示部３４に表示させ、店舗及び提供者の登録を受け付ける。ここで、店舗情報には、店舗が属する事業者の情報も含まれていてもよい。
【００４２】
登録要求部３６１は、登録受付画面において、店舗情報を受け付けると、店舗情報を含む店舗の登録要求を決済処理装置１に送信する。また、登録要求部３６１は、登録受付画面において、提供者情報を受け付けると、提供者情報を含む提供者の登録要求を決済処理装置１に送信する。ここで、店舗情報は、例えば、店舗名や店舗の住所等の店舗を識別可能な情報である。また、提供者情報は、例えば、サービス提供者の氏名や生年月日等である。
【００４３】
なお、登録要求部３６１は、提供者端末３の登録を受け付けてもよい。この場合、登録要求部３６１は、提供者端末３を識別する端末ＩＤを含む端末登録要求を決済処理装置１に送信する。端末ＩＤは、例えば、提供者端末３において実行される決済処理用プログラムにより、複数の提供者端末３を識別するためのアプリケーションＩＤ、又は提供者端末３のＭＡＣアドレスである。
【００４４】
決済用情報生成部３６２は、決済対象の一以上の商品を特定し、決済情報を生成する。具体的には、決済用情報生成部３６２は、操作部３１においてサービス提供者が入力した商品ＩＤ又は読取部３２が商品に付されたバーコードから読み取った商品ＩＤを取得することにより、取得した商品ＩＤの商品を決済対象の商品と特定する。決済用情報生成部３６２は、記憶部３５に記憶されている商品ＤＢを参照し、取得した商品ＩＤに関連付けられている商品の価格を特定する。決済用情報生成部３６２は、操作部３１においてサービス提供者が入力した商品ＩＤ又は読取部３２が商品に付されたバーコードから読み取った商品ＩＤを一以上取得し、当該商品ＩＤから特定した商品の価格を集計する。決済用情報生成部３６２は、操作部３１において精算操作を受け付けると、集計した商品の価格を決済金額に決定する。決済用情報生成部３６２は、決済金額と、店舗を識別する店舗識別情報としての店舗ＩＤとを含む決済情報を生成する。
【００４５】
また、決済用情報生成部３６２は、決済処理装置１に送信する提供者ＩＤを特定する。例えば、決済用情報生成部３６２は、操作部３１を介して提供者ＩＤの入力を受け付け、受け付けた提供者ＩＤが記憶部３５に記憶されている場合、当該提供者ＩＤを、決済処理装置１に送信する提供者ＩＤとして特定する。決済用情報生成部３６２は、記憶部３５に記憶されている一以上の提供者ＩＤと、サービス提供者の氏名との少なくともいずれかを表示部３４に表示させ、いずれかの提供者ＩＤ又はサービス提供者の氏名の選択を受け付けることにより、決済処理装置１に送信する提供者ＩＤを特定する。
【００４６】
トークン取得部３６３は、読取部３２が、ユーザ端末２に表示された決済用コードを読み取ることにより、決済用コードから抽出した情報を、決済用トークンとして取得する。
決済用情報送信部３６４は、決済用情報生成部３６２が決済情報を生成し、トークン取得部３６３が決済用トークンを取得すると、通信部３３を介して、決済用トークンと、特定した提供者ＩＤと、決済情報とを決済処理装置１に送信する。
【００４７】
［制御部１３の各部の動作］
続いて、制御部１３の各部の動作について説明する。
登録部１３１は、提供者端末３から、店舗の登録、及びサービス提供者の登録を行う。例えば、登録部１３１は、提供者端末３から店舗情報の登録要求を受け付ける。登録部１３１は、店舗情報の登録要求を受け付けると、店舗ＩＤを生成し、店舗情報と、店舗ＩＤとを関連付けて記憶部１２に記憶させることにより、店舗を登録する。
【００４８】
ここで、店舗ＩＤには、店舗が属する事業者を識別する事業者ＩＤが含まれているものとする。なお、本実施形態では、登録部１３１は、事業者ＩＤを含む店舗ＩＤを生成したが、これに限らず、店舗ＩＤとは別に、店舗を運営する事業者の事業者ＩＤを生成してもよい。登録部１３１は、店舗ＩＤとは別に事業者ＩＤを生成した場合、事業者ＩＤと店舗ＩＤとを関連付けて記憶部１２に記憶させてもよい。また、事業者が一つの店舗のみを運営する場合、店舗ＩＤと事業者ＩＤとは同一であってもよい。
【００４９】
また、登録部１３１は、提供者端末３から、登録した店舗に関連付けるサービス提供者を識別するための提供者情報を受け付ける。登録部１３１は、提供者情報を受け付けると、提供者ＩＤを生成する。登録部１３１は、登録した店舗の店舗ＩＤに、生成した提供者ＩＤを関連付けて記憶部１２に記憶させる。なお、登録部１３１は、提供者端末３を識別する端末ＩＤと、提供者ＩＤとを記憶部１２に記憶させてもよい。
【００５０】
なお、登録部１３１は、提供者端末３から店舗情報及びサービス提供者の登録要求を受け付けることにより、店舗の登録、及びサービス提供者の登録を行うこととしたが、これに限らない。登録部１３１は、提供者端末３とは異なり、店舗において使用される端末やサーバから、店舗情報及びサービス提供者の登録要求を受け付けることにより、店舗の登録、及びサービス提供者の登録を行うようにしてもよい。この場合、提供者端末３と、店舗において使用される端末やサーバは同じものであってもよい。また、本実施形態において、端末ＩＤと、提供者ＩＤとは異なるものとしたが、これに限らず、提供者ＩＤを端末ＩＤとして用いるようにしてもよい。
【００５１】
発行要求受信部１３２は、ユーザ端末２から、ユーザＩＤと、ユーザがサービス提供者に付与するチップの額を示すチップ情報と、ユーザが店舗で決済するための決済用コードの発行要求とを受信する。
【００５２】
トークン送信部１３３は、発行要求受信部１３２が決済用コードの発行要求を受信すると、決済用コードを生成するための決済用トークンをユーザ端末２に送信する。具体的には、トークン送信部１３３は、発行要求受信部１３２が決済用コードの発行要求を受信すると、決済用トークンを生成する。トークン送信部１３３は、決済用トークンを生成すると、発行要求受信部１３２が取得したユーザＩＤと、チップ情報と、生成した決済用トークンとを関連付けて記憶部１２に記憶させる。また、トークン送信部１３３は、生成した決済用トークンを、決済用コードの発行要求を送信したユーザ端末２に送信する。
【００５３】
決済用情報受信部１３４は、トークン送信部１３３が送信した決済用トークンに基づいてユーザ端末２が表示した決済用コードを読み取った提供者端末３から、サービス提供者の提供者ＩＤと、ユーザの商品の購入に関する決済情報と、決済用トークンとを受信する。決済情報には、店舗ＩＤと、ユーザの店舗における決済金額とが含まれているものとする。
【００５４】
決済処理部１３５は、提供者端末３から決済情報と決済用トークンとを受信すると、受信した決済情報に基づいて決済を実行する。決済処理部１３５は、提供者端末３から受信した提供者ＩＤと、受信した決済情報に含まれる店舗ＩＤとが関連付けて記憶部１２に記憶されている場合に、受信した決済情報に基づいて決済を実行する。
【００５５】
具体的には、決済処理部１３５は、決済用情報受信部１３４が決済情報と決済用トークンとを受信すると、当該決済用トークンと一致する決済用トークンが記憶部１２に記憶されているか否かを判定する。決済処理部１３５は、一致する決済用トークンが記憶部１２に記憶されていると判定すると、提供者端末３から受信した提供者ＩＤと、受信した決済情報に含まれる店舗ＩＤとが関連付けて記憶部１２に記憶されているか否かを判定する。決済処理部１３５は、受信した提供者ＩＤと、店舗ＩＤとが関連付けて記憶部１２に記憶されていると判定すると、受信した決済用トークンに関連付けられて記憶部１２に記憶されているユーザＩＤとチップ情報とを特定する。
【００５６】
決済処理部１３５は、受信した決済情報に含まれる決済金額と、チップの額との合計額を、特定したユーザＩＤに対応するユーザの口座から引き落とす処理を実行する。また、決済処理部１３５は、受信した決済情報に含まれる決済金額を、受信した決済情報に含まれる店舗ＩＤで特定される店舗の口座に入金する処理を実行する。
【００５７】
決済処理部１３５は、提供者端末３から受信した決済用トークンに関連付けて記憶部１２に記憶されているチップ情報に基づいてサービス提供者にチップの額を付与する。例えば、決済処理部１３５は、特定したチップ情報が示すチップの額を、受信した提供者ＩＤが示すサービス提供者の口座に入金する処理を実行することにより、サービス提供者にチップの額を付与する。
【００５８】
決済処理部１３５は、決済情報に基づく決済が行われた場合に、提供者端末３から受信した提供者ＩＤと、決済情報とを関連付けて記憶部１２に記憶させる。このようにすることで、決済処理装置１は、ユーザにサービスを提供したサービス提供者を特定することができる。
【００５９】
また、決済処理部１３５は、ユーザの商品又はサービスの購入に係る支払金額と、提供者端末３から受信した提供者ＩＤと、決済用トークンを受信した日時とを関連付けて記憶部１２に記憶させるようにしてもよい。例えば、決済処理部１３５は、提供者端末３から受信した提供者ＩＤと、決済情報に含まれる決済金額と、チップ情報と、決済用トークンを受信した日時とを関連付けて決済管理情報として記憶部１２に記憶させるようにしてもよい。このようにすることで、決済管理情報を参照することで、サービス提供者ごとの売り上げを管理することができる。また、決済処理部１３５は、決済管理情報を参照して所定期間にサービス提供者に付与されたチップの額を集計し、集計したチップの額をまとめてサービス提供者に付与するようにしてもよい。
【００６０】
決済処理部１３５は、決済情報に基づく決済が行われた場合に、決済が完了したことを示す決済完了情報をユーザ端末２に通知する。また、決済処理部１３５は、決済情報に基づく決済が行われた場合に、決済完了情報と、提供者ＩＤと、提供者ＩＤが示すサービス提供者に付与されたチップの額を示す情報とを関連付けて提供者端末３に送信し、提供者端末３に、サービス提供者に付与されたチップの額を示す情報を表示させる。このようにすることで、サービス提供者は、自身に付与されたチップの額を確認することができる。
【００６１】
なお、決済処理部１３５は、提供者端末３から、決済用トークンとともに提供者端末３の端末ＩＤを受信してもよい。この場合、決済処理部１３５は、受信した端末ＩＤが記憶部１２に記憶されている場合に、提供者端末３から受信した決済情報に基づいて決済を実行し、当該端末ＩＤが記憶部１２に記憶されていない場合に、決済を実行しないようにしてもよい。このようにすることで、予め登録された提供者端末３から決済用トークンを受信した場合に限定して決済を行うことができるので、第三者が予め登録されていない端末を使用して不正な決済を行うことを防止することができる。
【００６２】
［動作シーケンス］
図６は、決済システムＳの動作シーケンス図である。図７は、図６に続く動作シーケンス図である。
図７に示すシーケンス図は、提供者端末３のサービス提供者が店舗、サービス提供者の登録操作をしたところから開始している（Ｓ１）。登録要求部３６１は、店舗情報及び提供者情報を含む、店舗及びサービス提供者の登録要求を決済処理装置１に送信する（Ｓ２）。
【００６３】
決済処理装置１の登録部１３１は、提供者端末３から登録要求を受信すると、店舗ＩＤ及び提供者ＩＤを生成する（Ｓ３）。登録部１３１は、生成した店舗ＩＤと、提供者ＩＤとを関連付けて記憶部１２に記憶させることにより、店舗、サービス提供者を登録する（Ｓ４）。
【００６４】
その後、ユーザが店舗において、ユーザがユーザ端末２において決済用コードの表示操作を行い（Ｓ５）、サービス提供者に付与するチップ額を受け付けると（Ｓ６）、要求送信部２５２は、ユーザＩＤと、チップの額を含むチップ情報と、決済用コードの発行要求とを決済処理装置１に送信する（Ｓ７）。
【００６５】
決済処理装置１の発行要求受信部１３２が、ユーザ端末２から、ユーザＩＤと、チップ情報と、決済用コードの発行要求とを取得すると、トークン送信部１３３は、決済用コードを生成するための決済用トークンを生成する（Ｓ８）。トークン送信部１３３は、受信したユーザＩＤと、チップ情報と、生成した決済用トークンとを関連付けて記憶部１２に記憶させる（Ｓ９）。トークン送信部１３３は、生成した決済用トークンを、決済用コードの発行要求を送信したユーザ端末２に送信する（Ｓ１０）。
【００６６】
図７に説明を移す。ユーザ端末２のコード生成部２５３は、決済処理装置１から受信した決済用トークンに基づく決済用コードを生成し、生成した決済用コードを表示部２３に表示させる（Ｓ１１）。ユーザが店舗において、ユーザ端末２に表示された決済用コードを提示し、提供者端末３の読取部３２が決済用コードを読み取る（Ｓ１２）。
【００６７】
また、提供者端末３の決済用情報生成部３６２は、操作部３１においてサービス提供者が入力した商品ＩＤ又は読取部３２が商品に付されたバーコードから読み取った商品ＩＤに基づいて商品の価格を特定し、決済金額を算出する（Ｓ１３）。提供者端末３の決済用情報送信部３６４は、サービス提供者の提供者ＩＤと、算出された決済金額と店舗ＩＤとを含む決済情報と、Ｓ１２において読み取られた決済用コードに含まれている決済用トークンとを決済処理装置１に送信する（Ｓ１４）。
【００６８】
続いて、決済処理装置１の決済用情報受信部１３４は、提供者端末３から、提供者ＩＤと、決済情報と、決済用トークンとを受信する。決済処理部１３５は、記憶部１２に記憶されている決済用トークンと、受信した決済用トークンが一致する場合に、当該決済用トークンと関連付けられているユーザＩＤ及びチップ情報を特定する（Ｓ１５）。続いて、決済処理部１３５は、特定したユーザＩＤ及びチップ情報と、受信した決済情報に含まれる店舗ＩＤとに基づいて決済処理を行う（Ｓ１６）。
【００６９】
続いて、決済処理部１３５は、決済が完了したことを示す決済完了情報をユーザ端末２に通知するとともに（Ｓ１７）、決済完了情報と、提供者ＩＤと、チップ情報とを提供者端末３に通知する（Ｓ１８）。
【００７０】
［変形例］
以上の説明においては、決済処理装置１は、ユーザ端末２からユーザＩＤと決済用コードの発行要求とを受信したタイミングでチップ情報も受信したが、これに限らない。例えば、ユーザ端末２が決済用コードを表示するタイミングでチップの額を受け付けてもよい。そして、ユーザ端末２がチップの額を受け付けると、チップの額を示すチップ情報を決済処理装置１に送信してもよい。
【００７１】
［本実施形態に係る決済システムＳによる効果］
以上説明したように、決済処理装置１は、ユーザ端末２から、ユーザＩＤと決済用コードの発行要求とを受信すると、決済用トークンをユーザ端末２に送信し、決済用トークンに基づいてユーザ端末２が表示した決済用コードを読み取った、サービス提供者が使用する提供者端末３から、提供者ＩＤと、決済情報と、決済用トークンとを受信する。そして、決済処理装置１は、提供者端末３から受信した決済情報に基づいて決済を実行し、提供者ＩＤと、決済情報とを関連付けて記憶部１２に記憶させる。このようにすることで、決済処理装置１は、ユーザにサービスを提供したサービス提供者を特定することができる。
【００７２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００７３】
１  決済処理装置
２  ユーザ端末
３  提供者端末
１１  通信部
１２  記憶部
１３  制御部
２１  操作部
２２  通信部
２３  表示部
２４  記憶部
２５  制御部
３１  操作部
３２  読取部
３３  通信部
３４  表示部
３５  記憶部
３６  制御部
１３１  登録部
１３２  発行要求受信部
１３３  トークン送信部
１３４  決済用情報受信部
１３５  決済処理部
２５１  操作受付部
２５２  要求送信部
２５３  コード生成部
３６１  登録要求部
３６２  決済用情報生成部
３６３  トークン取得部
３６４  決済用情報送信部
【要約】      （修正有）【課題】ユーザにサービスを提供したサービス提供者を特定する決済処理方法及び決済処理装置を提供する。【解決手段】決済処理装置１は、ユーザ端末から、ユーザＩＤと、ユーザが商品又はサービスの購入に対して決済するための決済用コードの発行要求とを受信する発行要求受信部１３２と、決済用コードの発行要求を受信すると、決済用コードを生成するための決済用トークンをユーザ端末に送信するトークン送信部１３３と、決済用トークンに基づいてユーザ端末が表示した決済用コードを読み取った、ユーザに商品又はサービスを提供した提供者が使用する提供者端末から、提供者を識別する提供者ＩＤと、ユーザの商品又はサービスの購入に関する決済情報と、決済用トークンとを受信する決済用情報受信部１３４と、提供者端末から受信した決済情報に基づいて決済を実行する決済処理部１３５と、を有する。【選択図】図２【図１】
0006845960.tif 000002
【図２】
0006845960.tif 000003
【図３】
0006845960.tif 000004
【図４】
0006845960.tif 000005
【図５】
0006845960.tif 000006
【図６】
0006845960.tif 000007
【図７】
0006845960.tif 000008